(57)【要約】【課題】振動や外力等が作用することによる蝶ナットの緩みを確実に防止することができ、しかも、緩む止めのための加工が少なく、容易に作製できる蝶ナットの緩み止め装置を提供する。【解決手段】ボルト６に装着される蝶ナット体１であって、この蝶ナット体１は中央にネジ孔３を有する凹状の胴部２と、その両側に突出する翼部４とからなり、前記ネジ孔３に前記ボルト６の雄ネジ６ａが螺合する雌ネジ溝３ａを形成し、この雌ネジ溝３ａの加工開始の起点３ｂをいずれか一方の前記翼部４の位置に合致させ、凹状の前記胴部２内に前記ボルト６の前記雄ネジ６ａのピッチに整合するコイルピッチを有するコイル部７ａよりなるコイルバネ７を配置し、前記コイルバネ７の一端部７ｂを前記起点３ｂに合致する前記翼部４に穿設した貫通溝５に挿入して固定端とするとともに、前記コイルバネ７の他端部７ｃを前記胴部２の周縁２ａより外方に突出させて自由端とすることを特徴とする蝶ナットの緩み止め装置。【選択図】図１
2016205609.tif 000002
【特許請求の範囲】
【請求項１】
ボルトに装着される蝶ナット体であって、この蝶ナット体は中央にネジ孔を有する凹状の胴部と、その両側に突出する翼部とからなり、前記ネジ孔に前記ボルトの雄ネジが螺合する雌ネジ溝を形成し、この雌ネジ溝の加工開始の起点をいずれか一方の前記翼部の位置に合致させ、凹状の前記胴部内に前記ボルトの前記雄ネジのピッチに整合するコイルピッチを有するコイル部よりなるコイルバネを配置し、前記コイルバネの一端部を前記起点に合致する前記翼部に穿設した貫通溝に挿入して固定端とするとともに、前記コイルバネの他端部を前記胴部の周縁より外方に突出させて自由端とすることを特徴とする蝶ナットの緩み止め装置。
【請求項２】
前記コイルバネの前記一端部を、前記コイル部の外周より外方の位置で前記コイル部の軸方向と平行に前記他端部側に向けて折り曲げ、これを前記雌ネジ溝の前記起点と合致する前記翼部の前記貫通溝に挿入し、さらに、前記一端部の先端を屈曲して前記貫通溝に形成した突起に係止させることを特徴とする請求項１に記載の蝶ナットの緩み止め装置。
【請求項３】
前記コイルバネの前記他端部を前記胴部の周縁より外方に突出させる開口が、前記翼部の付け根の直下に位置する前記胴部の前記周縁に設けられること特徴とする請求項１に記載の蝶ナットの緩み止め装置。
【発明の詳細な説明】
【技術分野】
【０００１】  この発明は、ボルトに装着される蝶ナットの緩みや外れを防止する蝶ナットの緩み止め装置に関するものである。
【背景技術】
【０００２】  従来、ナットの緩みを防止するものとして、特許文献１のようにボルトの雄ネジ溝のピッチに整合するコイルバネをナットのバネ収容凹部に収容し、ボルトとナットとが螺合したときのボルトに対するナットの離脱方向への回転に伴いボルトの雄ネジ溝にコイルバネが密着し摩擦力を増加して回転を阻止し、ボルトにナットを一旦締結すればその締結を容易に外すことができないようにするものがある。
【先行技術文献】
【特許文献】
【０００３】
【特許文献１】実開昭５０−１３５８６６号公報
【発明の概要】
【発明が解決しようとする課題】
【０００４】  解決しようとする問題点として、特許文献１による場合は、ナットにボルトの雄ネジ溝に密着するコイルバネを収納する凹部とか、コイルバネの折曲支持部の先端を嵌装保持する取付孔を設けることになり、これらの加工がナットに必要で、しかも、コイルバネの組み付けに手間がかかるなどの問題があった。【０００５】  この発明は、以上のようなことを考慮してなされたもので、ボルトがコイルバネに簡易に螺合され、長期間にわたって振動や外力等が作用することによる蝶ナットの緩みを確実に防止することができ、しかも、緩む止めのための加工が少なく、製作が容易な蝶ナットの緩み止め装置を提供することを目的とする。
【課題を解決するための手段】
【０００６】  前記課題を解決し、かつ目的を達成するために、この発明は、以下のように構成した。【０００７】  請求項１に記載の発明は、ボルトに装着される蝶ナット体であって、この蝶ナット体は中央にネジ孔を有する凹状の胴部と、その両側に突出する翼部とからなり、前記ネジ孔に前記ボルトの雄ネジが螺合する雌ネジ溝を形成し、この雌ネジ溝の加工開始の起点をいずれか一方の前記翼部の位置に合致させ、凹状の前記胴部内に前記ボルトの前記雄ネジのピッチに整合するコイルピッチを有するコイル部よりなるコイルバネを配置し、前記コイルバネの一端部を前記起点に合致する前記翼部に穿設した貫通溝に挿入して固定端とするとともに、前記コイルバネの他端部を前記胴部の周縁より外方に突出させて自由端とすることを特徴とする蝶ナットの緩み止め装置である。【０００８】  請求項２に記載の発明は、前記コイルバネの前記一端部を、前記コイル部の外周より外方の位置で前記コイル部の軸方向と平行に前記他端部側に向けて折り曲げ、これを前記雌ネジ溝の前記起点と合致する前記翼部の前記貫通溝に挿入し、さらに、前記一端部の先端を屈曲して前記貫通溝に形成した突起に係止させることを特徴とする請求項１に記載の蝶ナットの緩み止め装置である。【０００９】  請求項３に記載の発明は、前記コイルバネの前記他端部を前記胴部の周縁より外方に突出させる開口が、前記翼部の付け根の直下に位置する前記胴部の前記周縁に設けられること特徴とする請求項１に記載の蝶ナットの緩み止め装置である。
【発明の効果】
【００１０】  前記構成により、この発明は、以下のような効果を有する。【００１１】  請求項１に記載の発明では、ボルトに装着される蝶ナット体であって、この蝶ナット体は中央にネジ孔を有する凹状の胴部と、その両側に突出する翼部とからなり、前記ネジ孔に前記ボルトの雄ネジが螺合する雌ネジ溝を形成し、この雌ネジ溝の加工開始の起点をいずれか一方の前記翼部の位置に合致させ、凹状の前記胴部内に前記ボルトの前記雄ネジのピッチに整合するコイルピッチを有するコイル部よりなるコイルバネを配置し、前記コイルバネの一端部を前記起点に合致する前記翼部に穿設した貫通溝に挿入して固定端とするとともに、前記コイルバネの他端部を前記胴部の周縁より外方に突出させて自由端とするので、前記ボルトの振動などが伝わり生じる前記蝶ナット体の緩みを確実に防止でき、しかも、前記蝶ナット体の前記雌ネジ孔に形成するネジ加工開始の起点が容易に分かり、雄ネジのピッチに簡単にコイルバネのコイルピッチを整合できる。【００１２】  請求項２に記載の発明では、前記コイルバネの前記一端部を、前記コイル部の外周より外方の位置で前記コイル部の軸方向と平行に前記他端部側に向けて折り曲げ、これを前記雌ネジ溝の前記起点と合致する前記翼部の前記貫通溝に挿入し、さらに、前記一端部の先端を屈曲して前記貫通溝に形成した突起に係止させるので、前記翼部の前記貫通溝に前記コイルバネの前記一端部を挿入されることにより、前記雌ネジ溝のピッチと前記コイル部のコイルピッチとが連続するように組み付けることが容易にでき、しかも、前記ボルトのネジ込方向に前記コイルバネが移動することを阻止できる。【００１３】  請求項３に記載の発明では、前記コイルバネの前記他端部を前記胴部の周縁より外方に突出させる開口が、前記翼部の付け根の直下に位置する前記胴部の前記周縁に設けられるので、前記開口によって前記蝶ナット体の強度を低下することがなく、しかも、前記コイルバネの前記一端部が前記翼部に近接することになり、簡単に前記一端部と前記翼部とを一緒に摘みことができ、前記ボルトの離脱操作がし易くなる。
【図面の簡単な説明】
【００１４】
【図１】この発明における蝶ナットの緩み止め装置の一部を断面した側面図。
【図２】この発明における蝶ナットの緩み止め装置の平面図。
【図３】この発明における蝶ナットの緩み方向への回動状態を示す断面図。
【図４】この発明における蝶ナットの平面図。
【発明を実施するための形態】
【００１５】  以下、この発明の蝶ナットの緩み止め装置の実施の形態について説明する。
この発明の実施の形態は、発明の最も好ましい形態を示すものであり、この発明はこれに限定されない。
【００１６】  この発明の実施の形態を、図１および図４に基づいて説明する。図１は蝶ナットの緩み止め装置を実施した一例を示すもので、符号１で示されるものは合成樹脂よりなる蝶ナット体である。
【００１７】  前記蝶ナット体１は、中央にネジ孔３を有する凹状の胴部２とその左右両側に一体成形された翼部４とからなり、非締結部材Ｗに挿入するボルト６に螺合する。
【００１８】  前記ネジ孔３に前記ボルト６の雄ねじ６ａが螺合する雌ネジ溝３ａを形成し、このネジ溝３ａのネジ加工開始の起点３ｂを図４に示すように、左右両側の前記翼部４のいずれか一方に合致させる。
【００１９】  凹状の前記胴部２内にコイルバネ７を配置し、このコイルバネ７は前記ボルト６の前記雄ネジ６ａのピッチに整合するコイルピッチを有するコイル部７ａと、前記コイル部７ａより延出する一端部７ｂと、他端部７ｃとよりなる。
【００２０】  前記一端部７ｂは、前記コイル部７ａの外周の外側でコイル部軸方向と平行に折り曲げるとともに、他方の前記他端部７ｃは、コイル部７ａの外周より外側に延出する。
【００２１】  前記一端部７ｂは前記起点３ｂに合致する前記翼部４に穿設した貫通溝５に挿入して固定端し、かつ、前記貫通溝５内に挿入された前記コイルバネ７の前記一端部７ｂの先端を屈曲する。
【００２２】  前記コイルバネ７の前記一端部７ｂを前記貫通溝５に挿入する際、前記一端部７ｂの先端の屈曲をさらに変形させ、前記貫通溝５の入口を通過させる。その後、前記一端部７ｂの屈曲の変形は元に戻り、前記一端部７ｂの屈曲が前記貫通溝５内に形成した突起５ａに係止する。
【００２３】  前記コイルバネ７の前記他端部７ｃは、前記翼部４の付け根の直下に位置する前記胴部２の前記周縁２ａに設けた開口２ｂより外方に非接触状態で突出させ、前記翼部４の近傍まで延出して先端を自由端にする。なお、前記コイルバネ７の前記他端部７ｃを非接触状態で突出させると、前記蝶ナット体１の振動がコイルバネ７に直接伝わることがなくなる。
【００２４】  前記被締結物Ｗを貫挿した前記ボルト６に対して、前記コイルバネ７が被締結物Ｗとは反対側に位置するようにして前記蝶ナット体１をネジ込む。
このとき、前記コイルバネ７の前記他端部７ｃと前記翼部４とを一緒に指で摘むことにより、前記コイルバネ７の前記コイル部７ａは、前記一端部７ｂを支点として外方へ広がり、図３に示すように、前記ボルト６の前記雄ネジ６ａの谷に嵌った前記コイルバネ７の素線が非接触状態になり、摩擦力が軽減されて前記蝶ナット体１は前記ボルト６の前記雄ネジ６ａに円滑にネジ込まれる。
【００２５】  そして、前記コイルバネ７の前記他端部７ｃと前記翼部４との摘みを外すと、前記コイルバネ７の素線の弾性力により前記ボルト６の軸中心に向って押さえ付けられ、前記蝶ナット体１と一緒にネジ込まれた前記コイルバネ７の前記コイル部７ａは、図１に示すように、前記ボルト６の前記雄ネジ６ａの谷に嵌り込む。しかも、前記コイルバネ７の前記一端部７ｂの先端の屈曲が前記突起５ａに係止しているので、前記コイルバネ７が前記ボルト６のネジ込方向に移動することがない。
【００２６】  また、前記コイル部７ａの軸方向の長さを前記蝶ナット体１の前記雌ネジ溝３ａの軸方向の長さより長くしたので、この長い軸方向の前記コイルバネ７の前記コイル部７ａと前記蝶ナット体１の前記雌ネジ溝３ａとが前記ボルト６の前記雄ネジ６ａへの螺合によって一体化しており、締結の際に前記蝶ナット体１がガタつくことがない。
【００２７】  そして、前記ボルト６の前記雄ネジ６ａに対し前記蝶ナット体１をナット離脱方向に回ろうとしても、前記翼部４の前記貫通溝５に前記コイルバネ７の一方の前記一端部７ｂが挿入されているため、内径方向に収縮する状態となるように前記コイルバネ７の素線が引っ張られて前記ボルト６の前記雄ネジ６ａを締め付け、強力な緩み止め状態にされる。このため、前記コイルバネ７と一体となった前記蝶ナット体１は前記コイルバネ７の前記コイル部７ａで回転が阻止されて緩まなくなる。
【００２８】  前記蝶ナット体１を離脱するときには、他方の前記他端部７ｃと前記翼部４とを一緒に指で摘まむと、前記コイルバネ７の前記コイル部７ａが外方へ広がり、図３に示すように、前記ボルト６の前記雄ネジ６ａの谷と、前記コイル部７ａとの密接を解除して摩擦が無くなり、あるいは軽減する等で自由に回転を許容するようになるから、前記ボルト６の前記雄ネジ６ａを保護しながら簡単に前記蝶ナット体１を回転して前記ボルト６から離脱させることができる。
【００２９】  以上の構成におけるプレス蝶ナットの緩み止め装置では、蝶ナット体１の前記ネジ孔３に形成した前記雌ネジ溝３ａの加工を開始する前記起点３ｂを前記蝶ナット体１の前記翼部４に合致させるとともに、前記ボルトの雄ネジ６ａに密接する前記コイルバネ７の一方の前記一端部７ｂを前記蝶ナット体１の前記翼部４で挿入させることにより、前記蝶ナット体１に前記コイルバネ７を組み付けることが容易にでき、前記ボルト６に対する前記蝶ナット体１の緩み止めが確実になる。
【００３０】  また、前記コイルバネ７の前記一端部７ｂの先端を屈曲して前記貫通溝５に形成した前記突起５ａに係止させることにより、前記ボルト６のネジ込方向に前記コイルバネ７が移動することを阻止できる。前記コイルバネ７の前記一端部７ｂの屈曲をさらに変形させれば、前記貫通溝５に前記コイルバネ７の前記一端部７ｂを容易に挿入することができる。
【００３１】  さらに、前記コイルバネ７の前記他端部７ｃを前記胴部２の周縁２ａより外方に突出させる開口２ｂが、前記翼部４の付け根の直下に位置する前記胴部２の前記周縁２ａに設けられることにより、前記開口２ｂによって前記蝶ナット体１の強度を低下することがなく、しかも、前記コイルバネ７の前記他端部７ｃが前記翼部４に近接するので、前記他端部７ｃと前記翼部４とを容易に摘みことができ、前記ボルト６の離脱操作がし易くなる。
【産業上の利用可能性】
【００３２】  この発明は、ボルトに装着される蝶ナットの振動等による緩み止めが簡単な構造で、かつ、容易に作製できるプレス蝶ナットの緩み止め装置である。
【符号の説明】
【００３３】  １    蝶ナット体
２    胴部
２ａ  周縁
２ｂ  開口
３    ネジ孔
３ａ  雌ネジ溝
３ｂ  加工開始の起点
４    翼部
５    貫通溝
５ａ  突起
６    ボルト
６ａ  雄ネジ
７    コイルバネ
７ａ  コイル部
７ｂ  一端部（固定端）
７ｃ  他端部（自由端）
Ｗ    被締結部材
【図１】
2016205609.tif 000003
【図２】
2016205609.tif 000004
【図３】
2016205609.tif 000005
【図４】
2016205609.tif 000006